(57)【要約】【目的】ホログラムを全体にわたって正確に再生することができるホログラム記録再生装置を提供する。【構成】ホログラム記録再生装置は、記録時において、単位記録領域のホログラムが複数のブロックＢｋ１〜Ｂｋ３に分けられ、かつ、これらのブロックＢｋ１〜Ｂｋ３のそれぞれに記録情報（ＤＡＴＡ）とこれに対応するエラー訂正符号（ＥＣＣ）が含まれるように、空間光変調器に記録光を変調させる記録光変調制御手段を備えている。ホログラム記録再生装置は、単位記録領域に対する参照光の入射角を複数の所定角度に可変制御する入射角可変制御手段を備え、記録光変調制御手段は、参照光の入射角が可変制御されるごとにページ単位に異なるホログラムを生成し、かつ、各ページＰ１〜Ｐ４のホログラムが複数のブロックＢｋ１〜Ｂｋ３で構成されるように記録光を変調させている。【選択図】図２
2007240580.tif 000002
【特許請求の範囲】
【請求項１】
ホログラム記録媒体の単位記録領域に対し、空間光変調器で変調された記録光と、この記録光と同一波長からなる参照光とを照射し、これらの記録光と参照光とを所定の照射条件のもとで干渉させることにより、上記単位記録領域にホログラムを記録する一方、このホログラムが記録された上記単位記録領域に上記参照光を照射し、それに応じて出射してきた再生光をフォトディテクタで検出することにより、上記単位記録領域に記録されたホログラムを再生するホログラム記録再生装置であって、
記録時において、上記単位記録領域のホログラムが複数のブロックに分けられ、かつ、これらのブロックのそれぞれに記録情報とこれに対応するエラー訂正符号またはエラー検出符号とが含まれるように、上記空間光変調器に上記記録光を変調させる記録光変調制御手段を備えていることを特徴とする、ホログラム記録再生装置。
【請求項２】
上記記録光変調制御手段はさらに、上記複数のブロックのそれぞれに位置検出用のマークも含まれるように上記記録光を変調させている、請求項１に記載のホログラム記録再生装置。
【請求項３】
上記単位記録領域に対する上記参照光の入射角を複数の所定角度に可変制御する入射角可変制御手段を備え、上記記録光変調制御手段は、上記参照光の入射角が可変制御されるごとにページ単位に異なるホログラムを生成し、かつ、各ページのホログラムが上記複数のブロックで構成されるように上記記録光を変調させている、請求項１または２に記載のホログラム記録再生装置。
【請求項４】
再生時において、上記入射角可変制御手段は、上記複数のブロックごとに対応して上記再生光が上記フォトディテクタで検出されるように、上記参照光の入射角を上記複数の所定角度よりも細かく可変制御する、請求項１ないし３のいずれかに記載のホログラム記録再生装置。
【請求項５】
上記フォトディテクタによって上記複数のブロックごとに対応して検出された再生光に基づき、これらのブロックごとに上記記録情報と上記エラー訂正符号またはエラー検出符号とを復号化する復号化手段と、上記複数のブロックごとに復号化された上記記録情報に誤りが無いか否かを上記エラー訂正符号またはエラー検出符号に基づいて検査する符号検査手段とを備えている、請求項４に記載のホログラム記録再生装置。
【発明の詳細な説明】
【技術分野】
【０００１】
本発明は、ホログラム記録媒体にホログラムを記録する一方、そのホログラム記録媒体に記録されたホログラムを再生するためのホログラム記録再生装置に関する。
【背景技術】
【０００２】
従来のホログラム記録再生装置としては、たとえば特許文献１に開示されたものがある。このホログラム記録再生装置は、いわゆる角度多重方式でホログラム記録媒体に対してページ単位にホログラム（ページデータ）を記録するものである。ホログラムを記録する際には、単位記録領域となるページの中央領域および周辺領域にホログラムを分割し、さらに周辺領域のみを再配列することにより、２次元的な矩形状からなるホログラムを円形またはｎ角形の形状に変換して記録するように構成されている。このような構成によれば、ホログラムの再生時、レンズなどの光学系に起因するホログラム像の歪みをできる限り抑えることができ、ひいては再生時の情報損失を低減することができる。
【０００３】
【特許文献１】特開２００３−７６２５６号公報
【発明の開示】
【発明が解決しようとする課題】
【０００４】
しかしながら、上記従来のホログラム記録再生装置では、光学的に生ずるホログラム像の歪みに対して対処されているものの、レーザ光を照射する際の熱の影響による媒体収縮や波長変動に起因するホログラム像の歪みに対して何ら対処されていない。このような媒体収縮や波長変動によっては、再生時の照射条件（たとえば参照光の入射角など）を記録時と同一の照射条件としても、単位記録領域内のホログラムが部分的に再生光として検出できないことがあり、ホログラム全体として正確に再生することができないおそれがある。また、上記従来のホログラム記録再生装置では、再生時において、再配列時の境界部分において信号の損失が発生したり、あるいは目的とする角度以外の他の角度で記録された信号が検出されてしまうという問題があった。
【０００５】
本発明は、上記した事情のもとで考え出されたものであって、ホログラムを全体にわたって正確に再生することができるホログラム記録再生装置を提供することをその課題としている。
【課題を解決するための手段】
【０００６】
上記課題を解決するため、本発明では、次の技術的手段を講じている。
【０００７】
本発明により提供されるホログラム記録再生装置は、ホログラム記録媒体の単位記録領域に対し、空間光変調器で変調された記録光と、この記録光と同一波長からなる参照光とを照射し、これらの記録光と参照光とを所定の照射条件のもとで干渉させることにより、上記単位記録領域にホログラムを記録する一方、このホログラムが記録された上記単位記録領域に上記参照光を照射し、それに応じて出射してきた再生光をフォトディテクタで検出することにより、上記単位記録領域に記録されたホログラムを再生するホログラム記録再生装置であって、記録時において、上記単位記録領域のホログラムが複数のブロックに分けられ、かつ、これらのブロックのそれぞれに記録情報とこれに対応するエラー訂正符号またはエラー検出符号とが含まれるように、上記空間光変調器に上記記録光を変調させる記録光変調制御手段を備えていることを特徴としている。
【０００８】
好ましくは、上記記録光変調制御手段はさらに、上記複数のブロックのそれぞれに位置検出用のマークも含まれるように上記記録光を変調させている。
【０００９】
好ましくは、上記単位記録領域に対する上記参照光の入射角を複数の所定角度に可変制御する入射角可変制御手段を備え、上記記録光変調制御手段は、上記参照光の入射角が可変制御されるごとにページ単位に異なるホログラムを生成し、かつ、各ページのホログラムが上記複数のブロックで構成されるように上記記録光を変調させている。
【００１０】
好ましくは、再生時において、上記入射角可変制御手段は、上記複数のブロックごとに対応して上記再生光が上記フォトディテクタで検出されるように、上記参照光の入射角を上記複数の所定角度よりも細かく可変制御する。
【００１１】
好ましくは、上記フォトディテクタによって上記複数のブロックごとに対応して検出された再生光に基づき、これらのブロックごとに上記記録情報と上記エラー訂正符号またはエラー検出符号とを復号化する復号化手段と、上記複数のブロックごとに復号化された上記記録情報に誤りが無いか否かを上記エラー訂正符号またはエラー検出符号に基づいて検査する符号検査手段とを備えている。
【００１２】
好ましくは、ホログラム記録媒体の単位記録領域に対し、空間光変調器で変調された記録光と、この記録光と同一波長からなる参照光とを照射し、これらの記録光と参照光とを所定の照射条件のもとで干渉させることにより、上記単位記録領域にホログラムを記録する一方、このホログラムが記録された上記単位記録領域に上記参照光を照射し、それに応じて出射してきた再生光をフォトディテクタで検出することにより、上記単位記録領域に記録されたホログラムを再生するホログラム記録再生方法であって、記録時において、上記単位記録領域のホログラムが複数のブロックに分けられ、かつ、これらのブロックのそれぞれに記録情報とこれに対応するエラー訂正符号またはエラー検出符号とが含まれるように、上記空間光変調器に上記記録光を変調させることを特徴とする、ホログラム記録再生方法でもよい。
【００１３】
好ましくは、再生時において、上記複数のブロックごとに対応して上記再生光が上記フォトディテクタで検出されるように、上記参照光の入射角を可変制御し、それに応じて上記フォトディテクタで上記複数のブロックごとに対応して検出された再生光に基づき、これらのブロックごとに上記記録情報と上記エラー訂正符号またはエラー検出符号とを復号化し、上記複数のブロックごとに復号化された上記記録情報に誤りが無いか否かを上記エラー訂正符号またはエラー検出符号に基づいて検査するようにしてもよい。
【００１４】
このような構成によれば、単位記録領域に記録されたホログラムを部分的なブロックごとに検出し、各ブロックに含まれる記録情報をエラー訂正符号またはエラー検出符号に基づいて検査することができるので、再生時の照射条件をブロックごとに適当に合わせることでホログラムを全体にわたって正確に再生することができる。
【００１５】
本発明のその他の特徴および利点は、添付図面を参照して以下に行う詳細な説明によって、より明らかとなろう。
【発明を実施するための最良の形態】
【００１６】
以下、本発明の好ましい実施の形態を、図面を参照して具体的に説明する。図１〜５は、本発明に係るホログラム記録再生装置の一実施形態を示している。
【００１７】
図１に示すように、本実施形態のホログラム記録再生装置Ａは、光学系を構成する要素として、光源１、コリメータレンズ２、第１のビームスプリッタ３、ビームエキスパンダ４Ａ，４Ｂ、空間光変調器５、第２のビームスプリッタ６、リレーレンズ７Ａ，７Ｂ、対物レンズ７、固定ミラー８Ａ，８Ｂ，８Ｃ、記録用のガルバノミラー９、記録用の集光レンズ１０Ａ，１０Ｂ、再生用のガルバノミラー１１、再生用の集光レンズ１２Ａ，１２Ｂ、およびフォトディテクタ１３を備えている。空間光変調器５は、記録光変調制御部２０により制御される。記録用および再生用のガルバノミラー９，１１は、入射角可変制御部３０により制御される。フォトディテクタ１３には、復号化処理部４０、符号検査部４１、およびバッファ４２が接続されている。図示しないその他の構成要素としては、ディスク状のホログラム記録媒体Ｂを回転させるための回転機構や、ホログラム記録媒体Ｂの径方向に光学系を移動させるためのトラッキングサーボ機構、さらには全体の動作を制御するマイクロコンピュータなどを備えている。記録光変調制御部２０、入射角可変制御部３０、および復号化処理部４０は、マイクロコンピュータに接続されている。
【００１８】
このホログラム記録装置Ａに用いられるホログラム記録媒体Ｂは、光透過性を有する２つの保護層９０Ａ，９０Ｂの間に記録層９１をもち、この記録層９１に対して両側から光を照射することができるように構成されている。記録層９１の単位記録領域においては、記録光Ｓと参照光Ｒとが所定の角度で交差しながら干渉することにより、その角度に応じた干渉縞パターンのホログラムが記録される。再生時には、一点鎖線で示すようにホログラム記録媒体Ｂに対して記録時とは反対側から参照光Ｒのみが照射され、この参照光Ｒに応じて単位記録領域から発せられる光が再生光として対物レンズ７へと進行する。
【００１９】
光源１は、たとえば半導体レーザ素子からなり、記録時および再生時にコヒーレント光としてのレーザ光を出射する。コリメータレンズ２は、光源１から出射したレーザ光を平行光に変換する。コリメータレンズ２から出射した平行光は、第１のビームスプリッタ３へと導かれ、この第１のビームスプリッタ３は、入射した平行光を空間光変調器５に向かう記録光Ｓと、これとは別の光路を経て記録用や再生用のガルバノミラー９，１１へと向かう参照光Ｒとに分離する。これにより、記録時における参照光Ｒの波長は、記録光Ｓの波長と必ず一致している。ビームエキスパンダ４Ａ，４Ｂは、組み合わせレンズからなり、記録光Ｓの径を拡大しながらこの記録光Ｓを空間光変調器５へと導く。
【００２０】
空間光変調器５は、たとえば液晶表示装置からなり、記録時に入射した光を２次元的な画素パターンの記録光Ｓに変調して出射する。記録光変調制御部２０は、外部から書き込み要求された書き込みデータを次のような画素パターンの記録光Ｓとなるように空間光変調器５を制御する。図２に示すように、記録光Ｓは、書き込みデータを光学的に２次元の画素パターンに変換したものとされ、さらに画素パターン全体が複数のブロックＢｋ１〜Ｂｋ３に分けられた光となる。これらのブロックＢｋ１〜Ｂｋ３のそれぞれには、書き込みデータの一部をなす記録情報（ＤＡＴＡ１〜ＤＡＴＡ３）と、この記録情報に対応するエラー訂正符号（ＥＣＣ）とが画素パターンとして含まれる。さらに、各ブロックＢｋ１〜Ｂｋ３の対角部には、あらかじめ定められた規則的な画素パターンからなるブロック位置検出用のマークＰＭが含まれる。
【００２１】
再び図１に示すように、空間光変調器５から出射した記録光Ｓは、第２のビームスプリッタ６を透過してリレーレンズ７Ａ，７Ｂおよび対物レンズ７に導かれ、最終的にホログラム記録媒体Ｂの単位記録領域に照射される。本実施形態においては、単位記録領域に対して略直角（入射角０）に記録光Ｓが照射されるように構成されており、記録光Ｓの入射角は固定されている。再生時には、空間光変調器５の全画素が記録光Ｓを遮るように駆動され、これにより、ホログラム記録媒体Ｂの単位記録領域に対して記録光Ｓが照射されないようになっている。
【００２２】
一方、記録時の場合、第１のビームスプリッタ３から出射した参照光Ｒは、固定ミラー８Ａ，８Ｂを介して記録用のガルバノミラー９へと導かれる。記録用のガルバノミラー９は、単位記録領域に対する参照光Ｒの入射角を変化させるものであり、このガルバノミラー９は、単位記録領域に向けて参照光Ｒを進行させるように配置されている。記録用のガルバノミラー９から出射した参照光Ｒは、集光レンズ１０Ａ，１０Ｂを通って単位記録領域で記録光Ｓと重なるように照射され、その際、入射角可変制御部３０によってガルバノミラー９の光反射面の傾きが制御される。これにより、単位記録領域における参照光Ｒの入射角、すなわち記録光Ｓと参照光Ｒとの角度が複数の所定角度（一例として、θ１〜θ４）に変化させられる。その結果、単位記録領域には、参照光Ｒの入射角θ１〜θ４に応じてページ単位に異なるパターンのホログラムが記録される。図２に示す画素パターンは、参照光Ｒの入射角をθ１とした場合のページＰ１に対応する記録光Ｓの画素パターンを表しているが、各ページＰ１〜Ｐ４に干渉パターンとして記録されるホログラムも、上記記録光Ｓと同様に複数のブロックＢｋ１〜Ｂｋ３に分けられたものとなる。互いに隣り合うブロックＢｋ１〜Ｂｋ３は、ホログラム記録媒体Ｂの周方向に並んでいる。すなわち、各ページＰ１〜Ｐ４の各ブロックＢｋ１〜Ｂｋ３に対応するホログラムには、書き込みデータの一部をなす記録情報と、この記録情報に対応するエラー訂正符号とが含まれ、各ブロックＢｋ１〜Ｂｋ３の対角部に対応する部分には、ブロック位置検出用のマークＰＭに対応した干渉パターンが含まれる。
【００２３】
再生時の場合、参照光Ｒは、固定ミラー８Ｃを介して再生用のガルバノミラー１１へと導かれる。再生用のガルバノミラー１１は、再生時に単位記録領域に対する参照光Ｒの入射角を変化させるものであり、このガルバノミラー１１は、ホログラム記録媒体Ｂに対して記録時とは反対側から単位記録領域に向けて参照光Ｒを進行させるように配置されている。再生用のガルバノミラー１１から出射した参照光Ｒは、記録時とは正反対の向きをなす共役光となり、この参照光Ｒが集光レンズ１２Ａ，１２Ｂを通って単位記録領域に照射される。その際、入射角可変制御部３０は、記録時における複数の所定角度θ１〜θ４よりも細かく参照光Ｒの入射角を変化させる。たとえば、再生時における参照光Ｒの入射角は、θ１±α〜θ４±α（αは、角度をθ１〜θ４に変化させる幅よりも相当小さい角度）の範囲で変化させられる。これは、レーザ光を照射する際の熱の影響による媒体収縮や波長変動によって再生時の照射条件が記録時の照射条件と微妙に異なってしまうためであり、再生時における参照光Ｒの入射角を記録時の入射角θ１〜θ４と同一にしても、各ページＰ１〜Ｐ４のホログラム全体に対応する再生光が一様に得られないことによる。これにより、たとえば図２のページＰ１に対応するホログラムを再生する場合には、参照光Ｒの入射角がθ１±αの範囲で変化させられる。この参照光Ｒの入射角がθ１±αの範囲においては、図３〜５に示すように入射角が適当な角度になると、ブロックＢｋ１〜Ｂｋ３ごとにホログラムの一部に対応した再生光が所定の光量以上となって発せられる。なお、複数のブロックＢｋ１〜Ｂｋ３は、先述したようにホログラム記録媒体Ｂの周方向に並ぶように分けられており、このようなブロックＢｋ１〜Ｂｋ３の分け方とするのは、一般的にホログラム記録媒体Ｂの周方向に沿って再生光の強い部分と弱い部分とが生じるためである。
【００２４】
フォトディテクタ１３は、ＣＣＤエリアセンサあるいはＣＭＯＳエリアセンサからなり、再生時に対物レンズ７やリレーレンズ７Ａ，７Ｂを介して第２のビームスプリッタ６へと戻ってきた単位記録領域からの再生光を受光する。このようなフォトディテクタ１３によれば、ブロック位置検出用のマークＰＭが検出され、かつ、そのマークＰＭで規定される矩形状の受光領域が所定の受光量以上になると、各ブロックＢｋ１〜Ｂｋ３に対応する再生光が検出された状態となり、それに応じて光検出信号が復号化処理部４０に出力される。すなわち、ブロックＢｋ１〜Ｂｋ３ごとに対応した再生光が確実に検出され、各ブロックＢｋ１〜Ｂｋ３に含まれる記録情報（ＤＡＴＡ１〜３）およびエラー訂正符号（ＥＣＣ）が光検出信号としてブロックＢｋ１〜Ｂｋ３ごとに復号化処理部４０に供給される。
【００２５】
復号化処理部４０は、ブロックＢｋ１〜Ｂｋ３ごとに光検出信号を復号化し、この光検出信号を記録情報とエラー訂正符号とに変換して出力する。これらの記録情報およびエラー訂正符号は、さらに符号検査部４１に供給され、符号検査部４１は、エラー訂正符号に基づいて記録情報に誤りが無いか否かを検査する。記録情報が正しいとの検査結果が得られた場合、その記録情報がバッファ４２に一旦保持される。バッファ４２にＤＡＴＡ１〜３の全ての記録情報が保持されると、それらの記録情報が読み出しデータとしてまとめて出力される。すなわち、読み出しデータは、１ページ分のホログラムとして記録された書き込みデータに相当する。一方、符号検査部４１において記録情報に誤りがあるとの検査結果が得られた場合、符号検査部４１は、その誤りがある部分を正しい情報に訂正し、その後、正しい記録情報をバッファ４２に転送する。
【００２６】
次に、上記ホログラム記録再生装置Ａの作用を図２〜５を主に参照して説明する。
【００２７】
図２に示すように記録時の場合、単位記録領域には、参照光Ｒの入射角θ１〜θ４に応じてページＰ１〜Ｐ４ごとに異なる画素パターンのホログラムが記録される。各ページＰ１〜Ｐ４のホログラムは、あらかじめ定められたブロックＢｋ１〜Ｂｋ３ごとに分けられ、各ブロックＢｋ１〜Ｂｋ３には、書き込みデータの一部となる記録情報（ＤＡＴＡ１〜ＤＡＴＡ３）、その記録情報に対応するエラー訂正符号（ＥＣＣ）、およびブロック位置検出用のマークＰＭが含まれる。
【００２８】
一方、たとえば図３〜５に示すように、再生時には、単位記録領域に対して参照光Ｒが入射角θ１±αの範囲で変化しながら照射される。このとき、再生時に媒体収縮や波長変動が生じていないと仮定すると、参照光Ｒの入射角θ１が記録時と同じ状態でページＰ１に対応するホログラム全体の再生光が検出される。しかしながら一般的には、媒体収縮や波長変動によって再生時と記録時とで照射条件が異なる。そのため、参照光Ｒの入射角が記録時のθ１とは微妙に異なるように可変制御される。参照光Ｒの入射角が適当な角度になると、各ブロックＢｋ１〜Ｂｋ３のホログラムに対して部分的に記録時の照射条件と一致した状態が生成される。これにより、各ブロックＢｋ１〜Ｂｋ３のホログラムに対応した再生光がブロックＢｋ１〜Ｂｋ３ごとに検出される。なお、再生時に参照光Ｒの入射角を可変制御する際には、たとえばホログラム記録媒体Ｂを極めて少しずつ回転させるなどして、参照光Ｒに対する単位記録領域の位置を微妙にずらすようにしてもよい。これによれば、より確実に各ブロックＢｋ１〜Ｂｋ３のホログラムに対応した再生光をフォトディテクタ１３で検出することができる。
【００２９】
ブロックＢｋ１〜Ｂｋ３ごとに再生光が検出されると、フォトディテクタ１３から光検出信号が出力され、復号化処理部４０は、この光検出信号に基づいてブロックＢｋ１〜Ｂｋ３ごとに記録情報およびエラー訂正符号を生成する。各ブロックＢｋ１〜Ｂｋ３に対応する記録情報は、仮にその一部に誤りがあっても、エラー訂正符号に基づいて正しい情報に訂正される。このようにして得られた記録情報は、ブロックＢｋ１〜Ｂｋ３ごとに順次バッファ４２に格納される。全てのブロックＢｋ１〜Ｂｋ３に対応する記録情報がバッファ４２に格納されると、これらの記録情報が一つにまとまった単位の情報、すなわちページＰ１のホログラム全体に対応する読み出しデータとしてバッファ４２から出力される。以上のような一連の動作をページＰ２〜Ｐ４に対しても同様に行うことにより、一つの単位記録領域に対するホログラムの再生動作が終わる。次の単位記録領域におけるホログラムを再生する場合には、その次の単位記録領域が参照光Ｒの入射位置に合うようにホログラム記録媒体Ｂが回転させられ、上記と同様の手順で再生動作が行われる。
【００３０】
したがって、本実施形態のホログラム記録再生装置Ａによれば、再生時に参照光Ｒを照射することで熱の影響による媒体収縮や波長変動が生じても、単位記録領域に記録されたホログラムを複数のブロックＢｋ１〜Ｂｋ３に分けながら部分的に再生することができるので、ホログラムを全体にわたって正確に再生することができる。
【００３１】
なお、本発明は、上記の実施形態に限定されるものではない。
【００３２】
各ブロックには、たとえば記録情報に誤りが無いか否かを単に検出できるだけで訂正機能を持たないエラー検出符号を含めるようにしてもよい。このようなエラー検出符号が各ブロックに含まれている場合、再生時にエラー検出信号に基づいてあるブロックの記録情報に誤りが検出されると、そのブロックに対応するホログラムの一部について再生するための動作が再び行われることとなる。
【００３３】
上記実施形態に関し、さらに以下の付記を開示する。
【００３４】
（付記１）
ホログラム記録媒体の単位記録領域に対し、空間光変調器で変調された記録光と、この記録光と同一波長からなる参照光とを照射し、これらの記録光と参照光とを所定の照射条件のもとで干渉させることにより、上記単位記録領域にホログラムを記録する一方、このホログラムが記録された上記単位記録領域に上記参照光を照射し、それに応じて出射してきた再生光をフォトディテクタで検出することにより、上記単位記録領域に記録されたホログラムを再生するホログラム記録再生装置であって、
記録時において、上記単位記録領域のホログラムが複数のブロックに分けられ、かつ、これらのブロックのそれぞれに記録情報とこれに対応するエラー訂正符号またはエラー検出符号とが含まれるように、上記空間光変調器に上記記録光を変調させる記録光変調制御手段を備えていることを特徴とする、ホログラム記録再生装置。
【００３５】
（付記２）
上記記録光変調制御手段はさらに、上記複数のブロックのそれぞれに位置検出用のマークも含まれるように上記記録光を変調させている、付記１に記載のホログラム記録再生装置。
【００３６】
（付記３）
上記単位記録領域に対する上記参照光の入射角を複数の所定角度に可変制御する入射角可変制御手段を備え、上記記録光変調制御手段は、上記参照光の入射角が可変制御されるごとにページ単位に異なるホログラムを生成し、かつ、各ページのホログラムが上記複数のブロックで構成されるように上記記録光を変調させている、付記１または２に記載のホログラム記録再生装置。
【００３７】
（付記４）
再生時において、上記入射角可変制御手段は、上記複数のブロックごとに対応して上記再生光が上記フォトディテクタで検出されるように、上記参照光の入射角を上記複数の所定角度よりも細かく可変制御する、付記１ないし３のいずれかに記載のホログラム記録再生装置。
【００３８】
（付記５）
上記フォトディテクタによって上記複数のブロックごとに対応して検出された再生光に基づき、これらのブロックごとに上記記録情報と上記エラー訂正符号またはエラー検出符号とを復号化する復号化手段と、上記複数のブロックごとに復号化された上記記録情報に誤りが無いか否かを上記エラー訂正符号またはエラー検出符号に基づいて検査する符号検査手段とを備えている、付記４に記載のホログラム記録再生装置。
【００３９】
（付記６）
ホログラム記録媒体の単位記録領域に対し、空間光変調器で変調された記録光と、この記録光と同一波長からなる参照光とを照射し、これらの記録光と参照光とを所定の照射条件のもとで干渉させることにより、上記単位記録領域にホログラムを記録する一方、このホログラムが記録された上記単位記録領域に上記参照光を照射し、それに応じて出射してきた再生光をフォトディテクタで検出することにより、上記単位記録領域に記録されたホログラムを再生するホログラム記録再生方法であって、
記録時において、上記単位記録領域のホログラムが複数のブロックに分けられ、かつ、これらのブロックのそれぞれに記録情報とこれに対応するエラー訂正符号またはエラー検出符号とが含まれるように、上記空間光変調器に上記記録光を変調させることを特徴とする、ホログラム記録再生方法。
【００４０】
（付記７）
再生時において、上記複数のブロックごとに対応して上記再生光が上記フォトディテクタで検出されるように、上記参照光の入射角を可変制御し、それに応じて上記フォトディテクタで上記複数のブロックごとに対応して検出された再生光に基づき、これらのブロックごとに上記記録情報と上記エラー訂正符号またはエラー検出符号とを復号化し、上記複数のブロックごとに復号化された上記記録情報に誤りが無いか否かを上記エラー訂正符号またはエラー検出符号に基づいて検査する、付記６に記載のホログラム記録再生方法。
【図面の簡単な説明】
【００４１】
【図１】本発明に係るホログラム記録再生装置の一実施形態を示す全体構成図である。
【図２】図１に示すホログラム記録再生装置の作用を説明するための説明図である。
【図３】図１に示すホログラム記録再生装置の作用を説明するための説明図である。
【図４】図１に示すホログラム記録再生装置の作用を説明するための説明図である。
【図５】図１に示すホログラム記録再生装置の作用を説明するための説明図である。
【符号の説明】
【００４２】
Ａ              ホログラム記録再生装置
Ｂ              ホログラム記録媒体
Ｓ              記録光
Ｒ              参照光
Ｂｋ１〜Ｂｋ３  ブロック
ＰＭ            位置検出用のマーク
５              空間光変調器
１３            フォトディテクタ
２０            記録光変調制御部（記録光変調制御手段）
３０            入射角可変制御部（入射角可変制御手段）
４０            復号化処理部（復号化手段）
４１            符号検査部（符号検査手段）
【図１】
2007240580.tif 000003
【図２】
2007240580.tif 000004
【図３】
2007240580.tif 000005
【図４】
2007240580.tif 000006
【図５】
2007240580.tif 000007